(57)【要約】【課題】洋盤は原語で同期した歌詞を表示したり、訳詞で表示したりすることにより、洋盤のより深い理解につながるほか、歌詞のないクラシックやジャズなどにもフレーズ毎に文章を入力できるファイルを用意すればそれへの応用も可能と思われる。邦盤でも歌詞カードといちいち付け合わせて歌詞をみる必要がなくなるので、手紙のＢＧＭとしてのみならず、一般的な音楽鑑賞においてもより深い理解につながると思われる。【解決手段】手紙に音楽を添えて相手に贈ることはこれまであまり例がないと思われ、携帯型の電子機器の普及した現在においては新しいコミュニケーションの方法として、音楽が手紙（メール）の引立役になることも大いに期待できる。 【選択図】図１
2008216965.tif 000002
【特許請求の範囲】
【請求項１】
音楽再生の開始情報を受けて、一つの音楽のすべてのパート（音楽のフレーズやフレーズのかたまりを言う。）について、パートの順番、パート毎の歌詞及びパート毎の演奏時間（以下「パート毎の時間」という。）の電子情報をコンピューターのデータテーブルに読み込み、当該データテーブルから音楽のパート順に歌詞を音響機器の画面に出力すると同時に表示時間を計測してそれがパート毎の時間に等しくなるまで歌詞を表示することで、音楽再生と合わせて音楽と同期した歌詞を表示するプログラム及び音楽のパートの順番、パート毎の歌詞及びパート毎の時間などの電子情報を記録した媒体
【請求項２】
音楽のパート毎の歌詞をワープロ機能を用いて編集してメールなどの独自の文章にした電子情報を用いて請求項１のプログラムを実行することにより、音楽をＢＧＭとしながらメールなどの言葉をパート毎に音楽と同期した形式で画面に表示する方法
【請求項３】
音楽と同期した歌詞を表示するプログラム及びパート毎の歌詞をワープロ機能により独自の文章に編集するプログラムを組み込み、両方のプログラムを実行することにより、音楽再生に伴い音楽と同期した歌詞を表示しながら同じ画面に文章を編集する画面を表示する機能をもつ電子機器
【発明の詳細な説明】
【技術分野】
【０００１】
この発明は、音楽と同期した歌詞を表示するプログラム、音楽と一体化した形式でのメールなどの作成、音楽と同期した歌詞の表示と歌詞の編集を同時に行う機能を有する電子機器に関する。
【背景技術】
【０００２】
従来は、手紙は言葉であり音楽とは異質のもので、携帯電話でメールや音楽を楽しめる時代となったが、音楽と同期した歌詞を表示する汎用のソフトウェアもなく、音楽と一体化した形式のメールなどを贈ることはできなかった。
【発明の開示】
【発明が解決しようとする課題】
【０００３】
しかしながら、以上の技術によれば、音楽と一体化した形式で臨場感を演出した手紙などを贈ることができない。そこで、音楽のパート毎に同期した歌詞を表示するプログラムを提供して、それをもとにして歌詞部分を編集することにより音楽と同期した形式のメールなどを作成する方法を提供する。また、編集中のパートが音楽のどの部分にあたるかをわかりやすく画面表示する方法を提供することが課題である。
【課題を解決するための手段】
【０００４】
以上の課題を解決するために、第一発明は、音楽のパートの順番、パート毎の歌詞及びパート毎の時間といった歌詞情報、制御情報等をコンピューターのデータテーブルに読み込み、パートの順に音楽との同期化を進めるプログラムとそれに用いる歌詞情報、制御情報などを記録した電子媒体である。プログラムは、音響機器の音楽再生部から音楽再生の開始情報や照合情報を受け取った後は、音楽再生とは独立した系統となる。
第二発明は、パート毎の歌詞をパソコンなどのワープロ機能により独自の文章に置き換えることで、元の音楽をＢＧＭにして音楽と同期した形式のメールなどの文章を画面に表示する方法である。
第三発明は、文章を作成、編集するときに、音楽再生と合わせて音楽と同期した歌詞を表示する画面を文章編集画面を同じ画面に同時に表示する機能を有する電子機器である。
【発明の効果】
【０００５】
以上の技術によれば、第一発明の音楽の電子情報は、著作権を有する者がパート構成を決めた上で歌詞情報等を記録した媒体（原盤）を作成することで著作権の保護を図ることが可能になる。また、第二発明では手紙などを贈るときに特定のこの音楽を聴きながら読んでもらいたいという意思を相手に伝えることもできる。音楽と一体化したメールなどを受け取った人にメールの言葉と音楽（歌詞は原曲のまま）の両方で感動を与えることが可能になる。第三発明は、作詞能力の向上や洋盤などの場合は語学の理解の向上にも資する。
【発明を実施するための最良の形態】
【０００６】
第一発明は、図１のフロー図に示すプログラムを実行することで音楽と同期した歌詞を表示するものである。
１  音楽再生の開始情報を受け、曲情報をプログラムの照合エリアに送る。照合エリアにおいて、歌詞情報メモリーのリストと曲情報を照合して、一致すると、歌詞情報メモリーの歌詞情報及び制御情報等をデータテーブルエリアに読み込ませるとともに、パート１の実行をパート更新エリアに指示する。
２  パート更新エリアでは、指示を受けてデータテーブルエリアからパート数データの提供を受けるとともに、同エリアに対し歌詞出力エリア、時間管理エリアにパート１の歌詞、パート１の表示時間を転送する指示を行う。
【０００７】
３  歌詞出力エリアでは、歌詞を画面に出力するとともに、時間管理エリアに表示した時間の計測を指示する。時間管理エリアにおいて計測した時間がパート１の演奏時間に等しくなると、当該パートの終了処理（歌詞出力エリアに出力中止等、パート更新エリアにパートの更新）を指示する。
４  パート更新エリアで、パートの次の順番の処理を、パート１におけるパート数データの提供を受けることを除いて、同様の方法で指示してその処理を繰り返す。パートの更新回数がパート数に等しくなるか、時間管理エリアで計測時間の累計が曲の総時間に等しくなると、どちらかの早い方の指示でプログラムを終了する。
【０００８】
図２は、音楽のパートの順番、パート毎の歌詞及びパート毎の時間などの電子情報を記録した媒体の内容を表示したものであり、左上部の訳詞コードは当該プログラムの照合エリアにおいていずれかの訳詞コードを選択するためのもので、例えば、原盤のコードを１、訳詞のコードを２、独自編集分のコードを３とするなど、歌詞の言語等を区別するものである。
【０００９】
第二発明は、図３の文章の編集を行うプログラムのフロー図に示すように、編集を開始するとまず、手紙などのＢＧＭに用いる元の音楽のパートの順番、パート毎の歌詞及びパート毎の時間などの歌詞情報や制御情報を電子媒体などからコンピューターのデータテーブルに読込み、それを図２に示す表形式で編集前の画面として表示する。表のパート順番の列のパート順部分をクリックすると図６の画面下部の当該パートの文章編集画面を表示し、編集画面の上段には曲名と元の歌詞を表示、下段にはパートの順番と文章編集部を表示し、文章編集部をワープロ機能で文章を入力する。当該パートの編集が終わりクリック（実行）すると画面が次のパートに移りすべてのパートの編集が終了すると、図４の編集後のファイル図を表示する。このまま保存すると元の歌詞のファイルと区別がつかないため、訳詞コードを１から３にしてファイルを保存する。
【００１０】
そして、電子メールなどでこの編集後のファイルを受け取った人が、音楽と同期した歌詞を表示するプログラムを実行できる電子音響機器で当該音楽を再生して、音楽と同期した歌詞を表示するプログラムを実行すれば図５に示すイメージで音楽と同期した形式で手紙（メール）を読むことができる。
【００１１】
第三発明は、音楽と同期した形式のメールなどを作成するときに、同じ音楽について、音楽と同期した歌詞を表示するプログラムと歌詞を独自の文章に編集するプログラムを各々実行することにより、図６に示すように電子機器の文章編集画面の上部に、音楽と同期した歌詞を順次表示することで文章編集作業の中で現在編集中のパートが音楽のどの部分であるかわかりやすくするためのものであり、これらのプログラムを組み込み、そして図１の照合エリアで訳詞コードの選択をするためのキーを入力する機能を有する電子機器である。
【産業上の利用可能性】
【００１２】
音楽産業、音響機器メーカー、携帯電話などで産業上の利用可能性がある。
【図面の簡単な説明】
【００１３】
（図１）この発明における、音楽と同期した歌詞を表示するプログラムのフロー図である。
2008216965.tif 000003
（図２）この発明における、パート毎の順番、歌詞、時間などの電子情報の図である。
2008216965.tif 000004
（図３）この発明における、文章編集プログラムのフロー図である。
2008216965.tif 000005
（図４）この発明における、文章編集プログラムの編集終了後のファイル図である。
2008216965.tif 000006
（図５）この発明における、音楽と同期した形式の手紙を表示するイメージ図である。
2008216965.tif 000007
（図６）この発明における、歌詞及び文章編集画面を表示する電子機器のイメージ図である。
2008216965.tif 000008
【図５】
2008216965.tif 000009
【手続補正書】
【提出日】平成19年10月14日(2007.10.14)
【手続補正１】
【補正対象書類名】特許請求の範囲
【補正対象項目名】全文
【補正方法】変更
【補正の内容】
【特許請求の範囲】
【請求項１】
音楽のパート（フレーズ又はフレーズの集合）毎の元の歌詞に相当する文章をパソコンの文書入力機能を用いて編集して手紙などの文章にした電子情報を、音楽と同期して歌詞を表示するプログラムに用いて、当該プログラムを音楽再生と合わせて実行することにより、音楽をＢＧＭとしながら手紙などの文章をパート毎に音楽と同期して画面に表示する方法、及び編集に用いるパート毎の歌詞情報に加えて、元の歌詞と当該歌詞に替えて独自の文章にしたものを区別するコード（訳詞コード）などを含む電子情報を記録した媒体
【請求項２】
音楽と同期した歌詞を表示するプログラム及び元の歌詞を文書入力機能により独自の文章に編集するプログラムを組み込み、両方のプログラムを実行して、音楽再生に合わせて音楽と同期した歌詞を表示しながら同じ画面に文章を編集する画面を表示する機能をもち、かつ、訳詞コードの切り替えにより元の歌詞又は当該歌詞に替えて独自の文章にしたもののいずれの文字情報も音楽と同期して表示する電子機器
【手続補正２】
【補正対象書類名】明細書
【補正対象項目名】全文
【補正方法】変更
【補正の内容】
【発明の詳細な説明】
【技術分野】
【０００１】
この発明は、音楽と一体化した形式での手紙（メール）などの作成、音楽と同期した歌詞の表示と歌詞の編集を同時に行う機能を有する電子機器に関する。
【背景技術】
【０００２】
従来は、手紙は言葉であり音楽とは全く異質であることなどから、携帯電話などでメールや音楽を楽しめる時代となったが、音楽を再生してそれをＢＧＭにした、音楽と同期した文章を作成する方法が確立されておらず、音楽と一体化した形式の手紙などを贈ることはできなかった。
【発明の開示】
【発明が解決しようとする課題】
【０００３】
しかしながら、以上の技術によれば、音楽と一体化した形式で臨場感を演出した手紙などを贈ることができない。そこで、音楽のパート毎に同期して元の歌詞を表示するプログラムをもとにして、その歌詞部分をパート毎に独自の文章に編集することにより音楽と同期した文章を作成して、音楽と一体化した形式で画面に表示する手紙（メール）などを作成できるようにすることや、編集中のパートの歌詞が音楽の中のどのフレーズなのかがパート毎の歌詞だけをみてもわかりにくいのでその解決が課題である。
【課題を解決するための手段】
【０００４】
以上の課題を解決するために、第一発明は、パート毎の歌詞をパソコンなどの文書入力機能により独自の文章に置き替えることで、元の音楽をＢＧＭにして音楽と一体化した形式で手紙などの文章を画面に表示する方法と、文章の編集に用いる音楽のパート毎の元の歌詞の文字情報、元の歌詞と独自に編集した文章を区別する訳詞コードなどの検索情報等を記録した電子媒体である。当該コードを訳詞コードとしたのは、原盤が外国語の歌詞の場合にその訳詞にもこれを応用することが可能であることからその名称を用いた。
第二発明は、文章を編集するときに、音楽再生と合わせて音楽と同期した歌詞を表示する画面と文章編集画面を同時に表示する機能と、訳詞コードの切り替えにより元の歌詞でも独自に編集した文章でも表示できる機能を有する電子機器である。
【発明の効果】
【０００５】
以上の技術によれば、第一発明ではファイル化された手紙などを受け取った人に、手紙の言葉と音楽（演奏される歌詞は元の歌詞）の両方で感動を与えることが可能になるほか、贈るときに特定のこの音楽を聴きながら読んでもらいたいというメッセージを伝えることにもなる。また、当該ファイル自体は断片的な文字情報であり、受け取った人が音楽を再生してはじめて一連の文章として読むことができるもので、個人間の新しいコミュニケーションの方法となりうる。既存の音楽の新しい利用にもつながり、産業面では著作権者等がパート毎に元の歌詞を記録した電子情報を作成、管理することで規格の統一や著作権の保護を図ることも可能である。また、音楽の元の歌詞と独自編集分等を切り替えるコードを設定することで、同一の音楽について元の歌詞や訳詞など様々な表示が可能となる。第二発明は、編集中のパートが音楽の中でどのフレーズであるかをわかりやすくするためのもので、洋盤などでは日本語の訳詞と曲との関係を理解する手助けになり、邦盤でも各フレーズの歌詞と音楽全体の関係の理解を深めることができる。
【発明を実施するための最良の形態】
【０００６】
第一発明は、図１に示すイメージで音楽と一体化した形式の手紙を表示する方法である。その方法は、図２の文章を編集するプログラムのフロー図に示すように、編集の開始後、手紙などのＢＧＭに用いる音楽の曲名を入力すると、その曲のパート毎の元の歌詞や訳詞コードなどを含む歌詞情報ファイルをメモリーや電子媒体などから入手してコンピューターのデータテーブルに読込み、それを図３の表形式で編集前の画面として表示する。表のパート１を選択（クリック）すると図４の文章編集画面の表示となり、画面下部の文章編集部にパート１の元の歌詞、表示時間、文章入力部が表示、文章入力部に独自の文章（手紙などの内容）を入力する。
【０００７】
パート１の編集が終わると、文章入力部に入力した文字情報を図３の表の元の歌詞部分に転送するとともに、データテーブルからパート２の情報を受け文章編集部にパート２の情報を表示する。同様の方法で文章を入力し、最後のパートまで編集が終ると、図５の編集後の文章編集ファイルの表示となり、元の歌詞の歌詞情報ファイルと区別するため訳詞コードを変更する。
そして、電子メールなどで編集後の文章情報ファイルを受け取った人が、音楽と同期した歌詞を表示するプログラムを実行できる電子機器で当該音楽を再生に合わせて、音楽と同期した歌詞を表示するプログラムに編集後の文章情報ファイルを用いてプログラムを実行すれば、図１に示すイメージで音楽と一体化した形式で手紙（メール）を読むことができる。  
【０００８】
図３は、文章の編集に用いる歌詞情報ファイルの図で、検索情報や制御情報は音楽と同期した歌詞を表示するプログラムに用いるためのもので、パート別歌詞情報の歌詞部分を編集して文章を作成する。訳詞コードはここでは、文章編集前のコードを１、編集後のコードを２と設定し、図３では訳詞コードを１、図５では２とする。
【０００９】
第二発明は、音楽と一体化した形式の手紙などを作成するときに現在編集中のパートが音楽のどのフレーズであるかをわかりやすくするために、図４に示す音楽と同期した歌詞と文章編集画面を表示する電子機器である。文章の編集は画面下部の文章編集部の文章入力部で行い、その際音楽と同期した歌詞を表示するプログラムを用いて音楽を再生することにより、画面中部に元の歌詞を順次表示させ、それを文章編集の参考にする。
文章の作成後にファイルを歌詞情報メモリーに登録した上で、図４のキーボードの上部の訳詞コード操作部を操作して訳詞コードを２に設定して、音楽と同期した歌詞を表示するプログラムを実行すれば画面中部に音楽再生と合わせて独自編集分の文章を表示することができ、作成した文章の確認や修正に用いる。
【００１０】
図６は、この発明に用いる音楽と同期した歌詞を表示するプログラムである。
１  音楽再生の開始情報を受け、曲情報をプログラムの照合エリアに送る。照合エリアにおいて、歌詞情報メモリーのリストと曲情報及び訳詞コードの情報を検索、照合して一致した歌詞情報ファイルの電子情報をデータテーブルエリアに読み込ませるとともに、パート１の実行をパート更新エリアに指示する。訳詞コードは、通常元の歌詞を表示するコード１に設定し、独自編集分を表示する場合はコードの切替情報を入力して歌詞情報メモリーのリストと照合する。
２  パート更新エリアでは、指示を受けてデータテーブルエリアからパート数データの提供を受けるとともに、同エリアに対し歌詞出力エリア、時間管理エリアにパート１の歌詞、パート１の表示時間、曲の総時間を転送する指示を行う。
【００１１】
３  歌詞出力エリアでは、歌詞を画面に出力するとともに、時間管理エリアに表示した時間の計測を指示する。時間管理エリアにおいて計測した時間がパート１の演奏時間に等しくなると、当該パートの終了処理（歌詞出力エリアに出力中止等、パート更新エリアにパートの更新）を指示する。
４  パート更新エリアで、次のパートの処理（パート数データの提供等を除く）を同様に行い、その処理を繰り返す。計測時間の合計が曲の総時間に達するか又はパート数データと処理回数が等しくなればプログラムを終了する。
【産業上の利用可能性】
【００１２】
音楽産業、音響機器メーカー、携帯電話などで産業上の利用可能性がある。
【図面の簡単な説明】
【００１３】
（図１）この発明における、音楽と一体化した形式の手紙を表示するイメージ図である。
2008216965.tif 000010
（図２）この発明における、文章編集プログラムのフロー図である。
2008216965.tif 000011
（図３）この発明における、文章の編集に用いる歌詞情報ファイルの図である。
2008216965.tif 000012
（図４）この発明における、音楽と同期した歌詞と文章編集画面を表示する電子機器の図である。
2008216965.tif 000013
（図５）この発明における、元の歌詞の編集終了後の文章情報ファイルの図である。
2008216965.tif 000014
（図６）この発明における、音楽と同期した歌詞を表示するプログラムのフロー図である。
2008216965.tif 000015
【手続補正３】
【補正対象書類名】図面
【補正対象項目名】全図
【補正方法】変更
【補正の内容】
【図１】
2008216965.tif 000016
【手続補正書】
【提出日】平成19年10月29日(2007.10.29)
【手続補正１】
【補正対象書類名】明細書
【補正対象項目名】００１３
【補正方法】変更
【補正の内容】
【００１３】
【図１】この発明における、音楽と一体化した形式の手紙を表示するイメージ図である。
【図２】この発明における、パート毎の順番、歌詞、時間などの電子情報の図である。
【図３】この発明における、文章編集プログラムのフロー図である。
【図４】この発明における、文章編集プログラムの編集終了後のファイル図である。
【図５】この発明における、音楽と同期した形式の手紙を表示するイメージ図である。
【図６】この発明における、歌詞及び文章編集画面を表示する電子機器のイメージ図である。
【手続補正２】
【補正対象書類名】図面
【補正対象項目名】全図
【補正方法】変更
【補正の内容】
【図１】
2008216965.tif 000017
【図２】
2008216965.tif 000018
【図３】
2008216965.tif 000019
【図４】
2008216965.tif 000020
【図５】
2008216965.tif 000021
【図６】
2008216965.tif 000022
【手続補正書】
【提出日】平成19年10月29日(2007.10.29)
【手続補正１】
【補正対象書類名】手続補正書
【補正対象項目名】手続補正２
【補正方法】変更
【補正の内容】
【手続補正２】
【補正対象書類名】明細書
【補正対象項目名】００１３
【補正方法】変更
【補正の内容】
【００１３】
【図１】この発明における、音楽と一体化した形式の手紙を表示するイメージ図である。
【図２】この発明における、文章編集プログラムのフロー図である。
【図３】この発明における、文章の編集に用いる歌詞情報ファイルの図である。
【図４】この発明における、音楽と同期した歌詞と文章編集画面を表示する電子機器の図である。
【図５】この発明における、元の歌詞の編集終了後の文章情報ファイルの図である。
【図６】この発明における、音楽と同期した歌詞を表示するプログラムのフロー図である。
【手続補正２】
【補正対象書類名】手続補正書
【補正対象項目名】手続補正３
【補正方法】変更
【補正の内容】
【手続補正３】
【補正対象書類名】図面
【補正対象項目名】全図
【補正方法】変更
【補正の内容】
【図１】
2008216965.tif 000023
【図２】
2008216965.tif 000024
【図３】
2008216965.tif 000025
【図４】
2008216965.tif 000026
【図５】
2008216965.tif 000027
【図６】
2008216965.tif 000028
【手続補正書】
【提出日】平成20年2月29日(2008.2.29)
【手続補正１】
【補正対象書類名】特許請求の範囲
【補正対象項目名】全文
【補正方法】変更
【補正の内容】
【特許請求の範囲】
【請求項１】
音楽再生の開始情報を受けて、一つの音楽のすべてのパート（フレーズ又はフレーズの集合）について、パートの順番、パート毎の歌詞及びパート毎の演奏時間などの電子情報をコンピュータのデータテーブルに読み込み、当該データテーブルから音楽のパート順に歌詞を画面に出力すると同時に表示時間を計測してパート毎の演奏時間に等しくなるまで歌詞を表示するプログラム（音楽と同期して歌詞を表示するプログラム）における、パート毎の歌詞に相当する文章をコンピュータの文書入力機能を用いてメールなどの独自の文章に編集するプログラム（歌詞を独自の文章に編集するプログラム）により編集し、編集後の電子情報を用いて音楽と同期して歌詞を表示するプログラムを実行することにより、音楽をＢＧＭとしながら独自の文章をパート毎に音楽と同期して画面に表示する方法
【請求項２】
一つの音楽のすべてのパートについてのパートの順番、パート毎の歌詞及びパート毎の演奏時間、曲名、歌手名、パート数、曲時間、元の歌詞と独自の文章を区別するコード（訳詞コード）などの電子情報を記録した媒体
【請求項３】
音楽と同期して歌詞を表示するプログラム及び歌詞を独自の文章に編集するプログラムを組み込み、両方のプログラムを実行して、音楽再生に合わせて音楽と同期した歌詞を表示しながら同じ画面に文章を編集する画面を表示する機能及び訳詞コードの選択をするための入力機能を有する電子機器
【手続補正２】
【補正対象書類名】明細書
【補正対象項目名】全文
【補正方法】変更
【補正の内容】
【発明の詳細な説明】
【技術分野】
【０００１】
この発明は、音楽と一体化した形式でのメールなどの作成、音楽と同期した歌詞の表示と歌詞の編集を同時に行う機能を有する電子機器に関する。
【背景技術】
【０００２】
従来は、手紙は言葉であり音楽とは全く異質であることなどから、携帯電話などでメールや音楽を楽しめる時代となったが、音楽を再生してそれをＢＧＭにした、音楽と同期した文章を作成する方法が確立されておらず、音楽と一体化した形式のメールなどを贈ることはできなかった。
【発明の開示】
【発明が解決しようとする課題】
【０００３】
しかしながら、以上の技術によれば、音楽と一体化した形式で臨場感を演出したメールなどを贈ることができない。そこで、音楽のパート毎に同期して元の歌詞を表示するプログラムをもとにして、その歌詞部分をパート毎に独自の文章に編集することにより音楽と同期した文章を作成して、音楽と一体化した形式で画面に表示するメールなどを作成できるようにすることや、編集中のパートの歌詞が音楽の中のどのフレーズなのかがパート毎の歌詞だけをみてもわかりにくいのでその解決が課題である。
【課題を解決するための手段】
【０００４】
以上の課題を解決するために、第一発明は、音楽のパート毎に同期した歌詞を順次表示するプログラムをもとに、当該パート毎の歌詞をコンピュータの文書入力機能により独自の文章に置き替えて、音楽と同期して歌詞を表示するプログラムを実行することにより、元の音楽をＢＧＭにして音楽と一体化した形式でメールなどの文章を画面に表示する方法である。
第二発明は、文章の編集等に用いる音楽のパートの順番、パート毎の歌詞及びパート毎の演奏時間といった歌詞情報や元の歌詞と独自の文章を区別する訳詞コードなどの電子情報を記録した媒体である。
当該コードを訳詞コードとしたのは、原盤が外国語の歌詞の場合にその訳詞にもこれを応用することが可能であることからその名称を用いた。
第三発明は、文章を編集するときに、音楽再生と合わせて音楽と同期した歌詞を表示する画面及び文章編集画面を同時に表示する機能や訳詞コードの選択をするためのキーを入力する機能を有する電子機器である。
【発明の効果】
【０００５】
以上の技術によれば、第一発明ではファイル化されたメールなどを受け取った人に、言葉と音楽（演奏される歌詞は元の歌詞）の両方で感動を与えることが可能になるほか、贈るときに特定のこの音楽を聴きながら読んでもらいたいというメッセージを伝えることにもなる。また、当該ファイル自体は断片的な文字情報であり、受け取った人が音楽を再生してはじめて一連の文章として読むことができるもので、個人間の新しいコミュニケーションの方法となりうる。
第二発明は、既存の音楽の新しい利用にもつながり、産業面では著作権者等がパート構成を決めた上で歌詞情報等を記録した媒体（原盤）を作成することで著作権の保護を図ることも可能になる。また、音楽の元の歌詞と独自編集分等を切り替えるコードを設定することで、同一の音楽について元の歌詞や訳詞など様々な表示が可能となる。
第三発明は、編集中のパートが音楽の中でどのフレーズであるかをわかりやすくするためのもので、洋盤などでは日本語の訳詞と曲との関係を理解する手助けになり、邦盤でも各フレーズの歌詞と音楽全体の関係の理解を深めることができる。
【発明を実施するための最良の形態】
【０００６】
第一発明は、図１に示すイメージで音楽と一体化した形式のメールを表示する方法であり、パート毎に元の歌詞を独自の文章に編集して、この独自の文章を用いて音楽と同期して歌詞を表示するプログラムを実行することによるものである。文章編集の方法は、図２の歌詞を独自の文章に編集するプログラムのフロー図に示すように、電子媒体などから入手した編集する音楽の歌詞情報ファイル（編集元ファイル）に含まれるパートの順番、パート毎の歌詞及びパート毎の時間、訳詞コードなどの電子情報を、編集開始情報を受けてコンピュータのデータテーブルに読込み、それを図３の表形式で編集前の画面として表示する。表のパートの順番の列のパート順部分をクリックすると図４の画面下部の当該パートの文章編集画面を表示し、その上段には曲名と元の歌詞を表示、下段にはパートの順番と文章編集部を表示し、文章編集部にコンピュータの文書入力機能で独自の文章を入力する。
【０００７】
当該パートの編集が終わり文章編集部をクリック（実行）すると画面が次のパートに移り、すべてのパートの編集が終了すると、図５の独自編集ファイルの図を表示する。編集元ファイルと区別をするために訳詞コードを変更して保存する。
そして、電子メールなどでこの独自編集ファイルを受け取った人が、音楽と同期して歌詞を表示するプログラムを実行できる電子機器で当該音楽を再生して、独自編集ファイルを用いて音楽と同期して歌詞を表示するプログラムを実行すれば、図１に示すイメージの音楽と一体化した形式でメールを読むことができる。 
図１のパート２では前奏部における文章表示の例を、パート４では元の歌詞が流れる中で文章表示をしない場合の例を示している。
【０００８】
第二発明は、図３に表示する音楽と同期して歌詞を表示するプログラム及び歌詞を独自の文章に編集するプログラムに用いる、一つの音楽のすべてのパートについてのパートの順番、パート毎の歌詞及びパート毎の演奏時間、曲名、歌手名、パート数、曲時間、訳詞コードなどの電子情報のファイルを記録した媒体である。訳詞コードは、図６のプログラムの照合エリアにおいていずれかの訳詞コードを選択するもので、原盤のコードを１、独自編集分のコードを２、訳詞のコードを３とするなど、歌詞の言語等を区別するものである。
【０００９】
第三発明は、音楽と同期した形式のメールなどを作成するときに、一つの音楽について、音楽と同期して歌詞を表示するプログラム及び歌詞を独自の文章に編集するプログラムを各々実行することにより、図４の電子機器の画面上部に、音楽と同期した歌詞を順次表示することで文章編集作業の中で編集中のパートが音楽のどの部分であるかをわかりやすくするためのものであり、これらのプログラムを組み込み、図６の照合エリアで訳詞コードの選択をするためのキーを入力する機能を有する電子機器である。
【００１０】
図６は、この発明に用いる音楽と同期して歌詞を表示するプログラムである。
１  音楽再生部から、音楽再生の開始情報と照合情報の曲名、歌手名の電子情報を照合エリアで受ける。照合エリアにおいて、曲名、歌手名の電子情報及び図４の選択キーで選択した訳詞コードを、歌詞情報メモリーのリストと照合して一致すると当該メモリー内の一致したファイルのパートの順番、パート毎の歌詞、パート毎の演奏時間、パート数、曲時間等の電子情報をデータテーブルエリアに読み込ませるとともに、パート１の実行をパート更新エリアに指示する。音楽再生の開始情報等を受け取った後は、音楽再生部とは独立したプログラムとなる。
２  パート更新エリアでは、指示を受けてデータテーブルエリアからパート数データの提供を受けるとともに、同エリアに対し歌詞出力エリア、時間管理エリアにパート１の歌詞、パート１の演奏時間を転送する指示を行う。 
【００１１】
３  歌詞出力エリアでは、歌詞を画面に出力するとともに、時間管理エリアに表示した時間の計測を指示する。時間管理エリアにおいて計測した時間がパート１の演奏時間に等しくなると、当該パートの終了処理（歌詞出力エリアに出力中止等、パート更新エリアにパートの更新）を指示する。
４  パート更新エリアで、次のパートの処理（パート数データの提供を除く）を同様に行い、その処理を繰り返す。計測時間の合計が曲の総時間に達するか又はパート数データと処理回数が等しくなればプログラムを終了する。
【産業上の利用可能性】
【００１２】
音楽産業、音響機器メーカー、携帯電話などで産業上の利用可能性がある。
【図面の簡単な説明】
【００１３】
【図１】この発明における、音楽と一体化した形式のメールを表示するイメージ図である。
【図２】この発明における、歌詞を独自の文章に編集するプログラムのフロー図である。
【図３】この発明における、編集する音楽の歌詞情報ファイル（パートの順番、パート毎の歌詞及びパート毎の演奏時間、訳詞コードなどの電子情報）を表示した図である。
【図４】この発明における、音楽と同期した歌詞を表示しながら同じ画面に文章を編集する画面を表示する機能を有する電子機器の図である。
【図５】この発明における、元の歌詞を独自の文章に編集した独自編集ファイルを表示した図である。
【図６】この発明における、音楽と同期して歌詞を表示するプログラムのフロー図である。
【手続補正３】
【補正対象書類名】図面
【補正対象項目名】全図
【補正方法】変更
【補正の内容】
【図１】
2008216965.tif 000029
【図２】
2008216965.tif 000030
【図３】
2008216965.tif 000031
【図４】
2008216965.tif 000032
【図５】
2008216965.tif 000033
【図６】
2008216965.tif 000034
【手続補正書】
【提出日】平成20年6月19日(2008.6.19)
【手続補正１】
【補正対象書類名】特許請求の範囲
【補正対象項目名】全文
【補正方法】変更
【補正の内容】
【特許請求の範囲】
【請求項１】
音楽再生の開始情報を受けて、一つの音楽のすべてのパート（フレーズ又はフレーズの集合）について、パートの順番、パート毎の歌詞及びパート毎の演奏時間の電子情報をコンピュータのデータテーブルに読み込み、当該データテーブルから音楽のパート順に歌詞を画面に出力すると同時に表示時間を計測してパート毎の演奏時間に等しくなるまで歌詞を表示するプログラム（音楽と同期して歌詞を表示するプログラム）における、パート毎の歌詞に相当する文章をコンピュータの文書入力機能を用いてメールといった当該音楽と関係しない独自に作成した文章に編集するプログラム（歌詞を独自の文章に編集するプログラム）により編集し、編集後の電子情報を用いて音楽と同期して歌詞を表示するプログラムを実行することにより、音楽をＢＧＭとしながら独自の文章をパート毎に音楽と同期して画面に表示する方法
【請求項２】
音楽と同期して歌詞を表示するプログラム及び歌詞を独自の文章に編集するプログラムを組み込み、両方のプログラムを実行して、音楽再生に合わせて音楽と同期した歌詞を表示しながら同じ画面に文章を編集する画面を表示する機能及び音楽と同期して歌詞を表示するプログラムにおいて元の歌詞と独自の文章を選択するコード（訳詞コード）の入力機能を有する電子機器
【手続補正２】
【補正対象書類名】明細書
【補正対象項目名】全文
【補正方法】変更
【補正の内容】
【発明の詳細な説明】
【技術分野】
【０００１】
この発明は、音楽と一体化した形式でのメールなどの作成、音楽と同期した歌詞の表示と歌詞の編集を同時に行う機能を有する電子機器に関する。
【背景技術】
【０００２】
従来は、手紙は言葉であり音楽とは全く異質であることなどから、携帯電話などでメールや音楽を楽しめる時代となったが、音楽を再生してそれをＢＧＭにした、音楽と同期した文章を作成する方法が確立されておらず、音楽と一体化した形式のメールなどを贈ることはできなかった。
【発明の開示】
【発明が解決しようとする課題】
【０００３】
しかしながら、以上の技術によれば、音楽と一体化した形式で臨場感を演出したメールなどを贈ることができない。そこで、音楽のパート毎に同期して元の歌詞を表示するプログラムをもとにして、その歌詞部分をパート毎に独自の文章に編集することにより音楽と同期した文章を作成して、音楽と一体化した形式で画面に表示するメールなどを作成できるようにすることや、編集中のパートの歌詞が音楽の中のどのフレーズなのかがパート毎の歌詞だけをみてもわかりにくいのでその解決が課題である。
【課題を解決するための手段】
【０００４】
本発明は、音楽のパート毎に同期した歌詞を順次表示するプログラムをもとに、当該パート毎の歌詞をコンピュータの文書入力機能により独自の文章に置き替えて、音楽と同期して歌詞を表示するプログラムを実行することにより、元の音楽をＢＧＭにして音楽と一体化した形式でメールなどの文章を画面に表示する方法である。
ユーザが編集する際に音楽再生と合わせて音楽と同期した歌詞を表示する画面及び文章編集画面を同時に表示する機能や元の歌詞と独自の文章を区別する訳詞コードを選択をするためのキーを入力する機能を有する電子機器を用いることで編集をより容易なものにするものである。文章の編集等に用いるデータは、音楽のパートの順番、パート毎の歌詞及びパート毎の演奏時間といった歌詞情報、訳詞コードなどでこれらを表形式で表示して編集するものである。訳詞コードは、原盤が外国語の歌詞の場合にその訳詞にも応用することがあるのでその名称とした。
【発明の効果】
【０００５】
本発明によると、ファイル化されたメールなどを受け取った人に言葉と音楽（演奏される歌詞は元の歌詞）の両方で感動を与えることが可能になるほか、贈るときに特定のこの音楽を聴きながら読んでもらいたいというメッセージを伝えることにもなる。また、当該ファイル自体は断片的な文字情報であり、受け取った人が音楽を再生してはじめて一連の文章として読むことができるもので、個人間の新しいコミュニケーションの方法となりうる。
文章の編集等に用いるデータは、著作権者等がパート構成を決めた上で歌詞情報等を記録した媒体（原盤）を作成することで著作権の保護を図ることも可能になる。また、音楽再生と合わせて音楽と同期した歌詞を表示する画面及び文章編集画面を同時に表示することで編集中のパートが音楽の中でどのフレーズであるかをわかりやすくなり、洋盤などでは日本語の訳詞と曲との関係を理解する手助けとなり、邦盤でも各フレーズの歌詞と音楽全体の関係の理解を深めることもできる。
【発明を実施するための最良の形態】
【０００６】
以下、添付図面を参照して、本発明の実施の形態について詳細に説明する。
図１は、音楽と一体化した形式のメールを表示するイメージ図である。
パート毎に元の歌詞を独自の文章に編集して、この独自の文章を用いて音楽と同期して歌詞を表示するプログラムを実行することによるものである。
文章編集の方法は、図２の歌詞を独自の文章に編集するプログラムのフロー図に示すように、電子媒体などから入手した編集する音楽の歌詞情報ファイル（編集元ファイル）に含まれるパートの順番、パート毎の歌詞及びパート毎の時間、訳詞コードなどの電子情報を、編集開始情報を受けてコンピュータのデータテーブルに読込み、それを図３の表形式で編集前の画面として表示する。表のパートの順番の列のパート順部分をクリックすると図４の画面下部の当該パートの文章編集画面を表示し、その上段には曲名と元の歌詞を表示、下段にはパートの順番と文章編集部を表示し、文章編集部にコンピュータの文書入力機能で独自の文章を入力する。
【０００７】
当該パートの編集が終わり文章編集部をクリック（実行）すると画面が次のパートに移り、すべてのパートの編集が終了すると、図５の独自編集ファイルの図を表示する。編集元ファイルと区別をするために訳詞コードを変更して保存する。
そして、電子メールなどでこの独自編集ファイルを受け取った人が、音楽と同期して歌詞を表示するプログラムを実行できる電子機器で当該音楽を再生して、独自編集ファイルを用いて音楽と同期して歌詞を表示するプログラムを実行すれば、図１に示すイメージの音楽と一体化した形式でメールを読むことができる。 
図１のパート２では前奏部における文章表示の例を、パート４では元の歌詞が流れる中で文章表示をしない場合の例を示している。                                                        
【０００８】
図３は、音楽と同期して歌詞を表示するプログラム及び歌詞を独自の文章に編集するプログラムに用いる、一つの音楽のすべてのパートについてのパートの順番、パート毎の歌詞及びパート毎の演奏時間、曲名、歌手名、パート数、曲時間、訳詞コードなどの電子情報を表形式で表示したものである。訳詞コードは、図６のプログラムの照合エリアにおいていずれかの訳詞コードを選択するもので、原盤のコードを１、独自編集分のコードを２、訳詞のコードを３とするなど、歌詞の言語等を区別するものである。
【０００９】
図４は、音楽と同期した形式のメールなどを作成するときに、一つの音楽について、音楽と同期して歌詞を表示するプログラム及び歌詞を独自の文章に編集するプログラムを各々実行することにより、画面上部に音楽と同期した歌詞を順次表示することで文章編集作業の中で編集中のパートが音楽のどの部分であるかをわかりやすくするためのもので、音楽と同期して歌詞を表示するプログラム及び歌詞を独自の文章に編集するプログラムを組み込み、図６の照合エリアで訳詞コードの選択をするためのキーを入力する機能を有する電子機器である。
【００１０】
図６は、この発明に用いる音楽と同期して歌詞を表示するプログラムである。
１  音楽再生部から、音楽再生の開始情報と照合情報の曲名、歌手名の電子情報を照合エリアで受ける。照合エリアにおいて、曲名、歌手名の電子情報及び図４の選択キーで選択した訳詞コードを、歌詞情報メモリーのリストと照合して一致すると当該メモリー内の一致したファイルのパートの順番、パート毎の歌詞、パート毎の演奏時間、パート数、曲時間等の電子情報をデータテーブルエリアに読み込ませるとともに、パート１の実行をパート更新エリアに指示する。音楽再生の開始情報等を受け取った後は、音楽再生部とは独立したプログラムとなる。
２  パート更新エリアでは、指示を受けてデータテーブルエリアからパート数データの提供を受けるとともに、同エリアに対し歌詞出力エリア、時間管理エリアにパート１の歌詞、パート１の演奏時間を転送する指示を行う。 
【００１１】
３  歌詞出力エリアでは、歌詞を画面に出力するとともに、時間管理エリアに表示した時間の計測を指示する。時間管理エリアにおいて計測した時間がパート１の演奏時間に等しくなると、当該パートの終了処理（歌詞出力エリアに出力中止等、パート更新エリアにパートの更新）を指示する。
４  パート更新エリアで、次のパートの処理（パート数データの提供を除く）を同様に行い、その処理を繰り返す。計測時間の合計が曲の総時間に達するか又はパート数データと処理回数が等しくなればプログラムを終了する。
【産業上の利用可能性】
【００１２】
音楽産業、音響機器メーカー、携帯電話などで産業上の利用可能性がある。
【図面の簡単な説明】
【００１３】
【図１】この発明における、音楽と一体化した形式のメールを表示するイメージ図である。
【図２】この発明における、歌詞を独自の文章に編集するプログラムのフロー図である。
【図３】この発明における、編集する音楽の歌詞情報ファイル（パートの順番、パート毎の歌詞及びパート毎の演奏時間、訳詞コードなどの電子情報）を表示した図である。
【図４】この発明における、音楽と同期した歌詞を表示しながら同じ画面に文章を編集する画面を表示する機能を有する電子機器の図である。
【図５】この発明における、元の歌詞を独自の文章に編集した独自編集ファイルを表示した図である。
【図６】この発明における、音楽と同期して歌詞を表示するプログラムのフロー図である。